(57)【要約】【課題】仮復旧作業を短時間で行うことができ、また、過剰な安全対策が不要となる地上設置装置の仮復旧基礎と、これを用いた仮復旧方法を提供する。【解決手段】地上設置装置の仮復旧基礎を、地上設置装置の電気機器と収納箱とを固定するベースの裏面にボルト止め可能であり、地中に埋設された首ブロックの破損した上端開口部の周縁を覆うように仮設される載置用ブロックで構成する。この載置用ブロックは着脱可能に連結される複数の分割されたブロック部材で構成され、それぞれのブロック部材は、首ブロックの破損した上端開口部の外側において地表面に載置させる基部と前記破損した上端開口部の周縁を覆う覆部とから構成する。【選択図】        図３
2008258238.tif 000002
【特許請求の範囲】
【請求項１】
地上設置装置の電気機器と収納箱とを固定するベースの裏面にボルト止め可能であり、地中に埋設された基礎ブロックの上部に設けられる首ブロックの破損した上端開口部の上方に仮設される載置用ブロックを有し、この載置用ブロックを着脱可能に連結される複数の分割されたブロック部材で構成し、それぞれのブロック部材を、前記破損した上端開口部の外側において定置させる基部と、前記破損した上端開口部の周縁の上方を覆い、前記ベースを載置する覆部とから構成したことを特徴とする地上設置装置の仮復旧基礎。
【請求項２】
前記ブロック部材は、前記破損した上端開口部の少なくとも１つの角部を覆うように分割されていることを特徴とする請求項１記載の地上設置装置の仮復旧基礎。
【請求項３】
前記載置用ブロックの隣り合うブロック部材は、一方の端部を他方の端部にスライド可能に連結されることを特徴とする請求項１記載の地上設置装置の仮復旧基礎。
【請求項４】
前記ブロック部材には、前記ベースの裏面にボルト止めするためのボルト又はナットが固定されていることを特徴とする請求項１記載の地上設置装置の仮復旧基礎。
【請求項５】
請求項１に記載の仮復旧基礎を用いた地上設置装置の仮復旧方法において、
電気機器と収納箱とを固定するベースからこれに付着しているアンカーボルトを取り外すステップと、
前記複数のブロック部材を互いに連結させて地中に埋設された基礎ブロックの上部に設けられた首ブロックの破損した上端開口部の周縁を覆うように仮設するステップと、
前記ブロック部材と前記ベースの裏面とをボルト止めするステップと、
を有することを特徴とする地上設置装置の仮復旧方法。
【発明の詳細な説明】
【技術分野】
【０００１】
この発明は、転倒した地上設置装置を仮復旧するために利用可能な地上設置装置の仮復旧基礎およびこの仮復旧基礎を用いた仮復旧方法に関する。
【背景技術】
【０００２】
配電線路の地中化に伴い、従来電柱に取り付けられていた変圧器等の電気機器を歩道の車道側脇に設置した収容箱に収容する地上設置装置が普及している。
例えば、下記する特許文献１に示される地上設置装置の設置構造にあっては、地中に基礎ブロックを設置し、この基礎ブロックの上部に電気機器と収納箱とを固定したベースを設置し、基礎ブロックの中を通したケーブル等を電気機器の底部から収納箱の内部に導入して接続するようにしている。
【０００３】
本出願人が採用している地上設置装置の設置構造も、このような構成に類似したもので、図９（ａ）に示されるように、上部開口部を有するボックス状に形成されたコンクリート製の基礎ブロック３をその上端が地表近くに位置するように地中に埋設し、この基礎ブロック３の上面に、矩形枠状に形成されて上部が地表から突出するコンクリート製の首ブロック５を一体又は別体に固定した上部ブロック４を接着材等で固定し、首ブロック５の上に該首ブロック５とほぼ同じ大きさの底面を有する矩形枠状の鋼製のベース１１を載置固定し、このベース上に該ベース１１とほぼ同じ大きさの底面を有する鋼製の収容箱１０を載置固定するようにしている。
【特許文献１】特開平６−９６９６２号公報
【発明の開示】
【発明が解決しようとする課題】
【０００４】
ところで、本出願人が採用している上述した設置構造においては、地上設置装置１に車両が衝突すると、図９（ｂ）に示されるように、首ブロック５がおよそ地表レベル（ＧＬ）で破断し、首ブロック５に埋設されていたアンカーボルト２０がベース１１に付着した状態で地上設置装置１が転倒することとなる。この状態を復旧するためには、首ブロック５又は上部ブロック４を交換する必要があるが、首ブロック５や上部ブロック４は地中に埋設されているので、交換作業は大掛かりとなり、早期に復旧することができない。このため、長期に亘る停電状態等を回避する必要から、首ブロック５や上部ブロック４を交換するまでの応急措置として仮復旧作業が必要となる。
【０００５】
そこで、従来においては、転倒した地上設置装置のベース１１に付着したアンカーボルト２０を取り外し、他用途の部材を流用して基礎を仮設し、その上に地上設置装置１のベース１１を載置させ、十分に安定させた状態で固定すると共に、周囲にセーフティーコーン等を配設して安全性を確保するようにしている。
【０００６】
しかしながら、仮復旧時に基礎を仮設するためにふさわしい部材があるとは限らず、また使用する部材によっては、地上設置装置の安定状態を確保しにくくなるため、仮復旧作業に相当の時間を要し、また、安全対策を厳重に施す必要があった。このような不都合は地上設置装置の仮復旧用の専用基礎材がないことに起因するものである。
【０００７】
本発明は、係る事情に鑑みてなされたものであり、地上設置装置の安定した設置を確保すると共に仮復旧作業を短時間で行うことができ、また、過剰な安全対策が不要となる地上設置装置の仮復旧基礎と、これを用いた仮復旧方法を提供することを主たる課題としている。
【課題を解決するための手段】
【０００８】
上記課題を達成するために、この発明にかかる地上設置装置の仮復旧基礎は、地上設置装置の電気機器と収納箱とを固定するベースの裏面にボルト止め可能であり、地中に埋設された基礎ブロックの上部に設けられる首ブロックの破損した上端開口部の上方に仮設される載置用ブロックを有し、この載置用ブロックを着脱可能に連結される複数の分割されたブロック部材で構成し、それぞれのブロック部材を、前記破損した上端開口部の外側において定置させる基部と、前記破損した上端開口部の周縁の上方を覆い、前記ベースを載置する覆部とから構成したことを特徴としている。
【０００９】
したがって、上述した地上設置装置の仮復旧基礎によれば、電気機器と収納箱とを固定するベースを載置させる載置用ブロックを、分割された複数のブロック部材を連結して構成し、それぞれのブロック部材の基部を首ブロックの破損した上端開口部の外側において定置させると共に覆部で前記破損した上端開口部の周縁上方を覆い、この覆部にベースを載置させるようにしたので、仮復旧作業を行う際にブロック部材を連結させて首ブロックの破損した上端開口部の周囲を囲うように設置すれば、地上設置装置の設置基礎が形成される。このため、仮復旧作業がスムーズに行え、また、地上設置装置を載置させる部分の外側に基部を定置させているので、安定した取付け状態が得られ、厳格な安全対策が不要となる。
【００１０】
ここで、前記ブロック部材は、前記破損した上端開口部の少なくとも１つの角部を覆うように分割されていることが望ましい。これは、載置用ブロックが首ブロックの破損した上端開口部の少なくとも１つの角部を覆うように分割されていれば、ブロック部材を地表面に安定して載置することが可能となり、また、位置ずれしにくくなるためである。
【００１１】
また、前記載置用ブロックの隣り合うブロック部材は、一方の端部を他方の端部にスライド可能に連結されるようにしてもよい。このような構成とすれば、載置用ブロックの大きさを地上設置装置の大きさに合わせて調整することが可能となる。尚、載置用ブロックの隣り合うブロック部材は、一方の端部を口細に形成し、他方の端部に一方の端部を受容する開口部を形成して隣り合うブロック部材の表面を連結部分で段差が形成されないようにするとよい。
【００１２】
さらに、前記ブロック部材には、スムーズな作業を行うために、前記ベースの裏面にボルト止めするためのボルト又はナットを固定しておくとよい。
【００１３】
以上のような地上設置装置の仮復旧材を用いた仮復旧方法としては、電気機器と収納箱とを固定するベースからこれに付着しているアンカーボルトを取り外すステップと、前記複数のブロック部材を互いに連結させて地中に埋設された基礎ブロックの上部に設けられた首ブロックの破損した上端開口部の周縁を覆うように仮設するステップと、前記ブロック部材と前記ベースの裏面とをボルト止めするステップとを備えるとよい。
【発明の効果】
【００１４】
以上述べたように、本発明によれば、基礎ブロックの上部に設けられた首ブロックの破損した上端開口部の外側において定置される基部と破損した上端開口部の周縁の上方を覆う覆部とから構成される複数のブロック部材を連結させて載置用ブロックを仮設し、この載置用ブロックに地上設置装置のベースを載置してボルト止めするようにしたので、地上設置装置の安定した設置を確保できると共に仮復旧作業を短時間で行うことができ、また、過剰な安全対策が不要となる。
【００１５】
特に、基礎ブロックの破損した上端開口部の少なくとも１つの角部を覆うように載置用ブロックを分割したブロック部材を用いれば、ブロック部材を地表面に載置した際の安定性を確保しやすくなる。また、隣り合うブロック部材を、一方の端部を他方の端部にスライド可能に連結させることで、載置用ブロックの大きさを地上設置装置の大きさに合わせて調整することが可能となる。さらに、ブロック部材に、ベースの裏面にボルト止めするためのボルト又はナットを固定しておくことで、スムーズな仮設作業が可能となる。
【発明を実施するための最良の形態】
【００１６】
以下、この発明の最良の実施形態を添付図面を参照しながら説明する。
【００１７】
図１及び図２に本発明に係る地上設置装置１の仮支持構造が示されている。この仮支持構造は、地上設置装置１をハンドホール２の上方に仮支持するためのもので、ここで示されるハンドホール２は、地中に埋設された基礎ブロック３と、この基礎ブロック３の上端に設けられた上部ブロック４と、上部ブロック４の上面の一側に設けられた首ブロック５とを有して構成されている。
【００１８】
基礎ブロック３は、上端開口部を有するコンクリート製のボックス状のもので、その上端が地表近くに位置するように地中に埋設され、側面には、地中ケーブル等を導入、導出するためのノック穴６が形成されている。
【００１９】
上部ブロック４は、基礎ブロック３の横幅と奥行きがほぼ同じ幅を有する矩形状に形成されて基礎ブロック３の上端を覆う蓋体として機能するコンクリート製のもので、基礎ブロックに対して接着剤等で固定されている。
【００２０】
首ブロック５は、上部ブロック４の横幅とほぼ同じ横幅を有し、奥行きが上部ブロック３よりも短い矩形枠状に形成されているもので、上部ブロック４と一体に又は別体に形成されており（この例では一体に形成されている例を示す）、通常においては、図９（ａ）に示されるように、その上部が地表から所定寸法だけ突出し、地上設置装置１に車両が衝突して転倒した場合には、およそ地表レベル（ＧＬ）で破断するようになっている。図２で示す状態は、この破断した状態が示されている。
【００２１】
ハンドホール２の上方に設けられる地上設置装置１を仮支持するための仮復旧基礎は、基礎ブロック３の上方、より具体的には破断された首ブロック５の上方に設けられて、首ブロック５の破損した上端開口部の周縁を覆うように仮設された載置用ブロック８によって構成されている。
【００２２】
載置用ブロック８は、地上設置装置１の電気機器（図示せず）と収納箱１０とを固定するベース１１の裏面にボルト止めされて、このベース１１を載置できるように矩形枠状に形成されているもので、図３にも示されるように、着脱可能に連結される４つの分割されたブロック部材９（９ａ，９ｂ，９ｃ，９ｄ）で構成されている。この例においては、地上設置装置１の長手方向の略中央箇所と短手方向の略中央箇所で連結部分が形成されるように、夫々のブロック部材９ａ，９ｂ，９ｃ，９ｄはＬ字状に形成され、首ブロック５の破損した上端開口部の少なくとも１つの角部を含むように分割されている。
【００２３】
それぞれのブロック部材９ａ，９ｂ，９ｃ，９ｄは、図４にも示されるように、鉄等の金属により中空の筒状に形成され、首ブロック５の破損した上端開口部の外側において地表に定置させる基部１２ａと首ブロック５の破損した上端開口部の周縁上方を覆い、地上設置装置１のベース１１を載置するよう基部１２ａから延設された覆部１２ｂとを有して構成されている。覆部１２ｂは、その下面が基部１２ａの下面よりも上方に位置するよう基部１２ａに対して段差状に形成されており、首ブロック５の破断面に多少の凹凸があっても覆うことができるようになっている。
【００２４】
隣り合うブロック部材９は、図５に示されるように、一方の端部を他方の端部に挿入させることによりスライド可能に連結されている。具体的には、隣り合うブロック部材９の連結部分の一方の端部にこの部分を口細にした口細部１３を形成し、他方の端部に一方の端部の口細部１１を受容する開口部１４を形成し、一方の端部を他方の端部に終端まで挿入させた状態においては、隣り合うブロック部材の連結部分で表面に段差が形成されないようになっている。また、隣り合うブロック部材のスライド量（開口部１４に挿入される口細部１３の挿入量）を調節することで、載置用ブロック８の大きさを変更できるようにしている。
【００２５】
また、各ブロック部材９の所定箇所には、ブロック部材９とベース１１とをボルト止めするためのボルト１５が覆部１２ｂに形成されたボルト挿通孔１６を介して下方から挿入され、ボルト１５の頭部を覆部１２ｂの下面に溶接等により固着させて、ボルト１５のねじ部をブロック部材の上面より上方へ突出させた状態で固定している。そして、このボルト１５をベース１１に形成されたボルト挿通孔１７に挿通させ、このボルト１５にベース１１の上方からナット１８を螺合させている。
【００２６】
以上の仮復旧基礎を用いて地上設置装置１を仮支持する方法について説明すると、先ず、車両の衝突等により転倒した地上設置装置１は、首ブロック５の上部が破断してこの首ブロック５に埋設されていたアンカーボルト２０がベース１１に付着した状態で転倒するので、ベース１１に付いている首ブロック５の残存をハンマー等で除去してベース１１の裏面をきれいにし（図６）、収納箱１０をクレーン等により持ち上げて傾けた状態とし、この状態で収納箱１０の扉１０ａ,１０ｂを開いてアンカーボルト２０をこれに羅合しているナット２１を外すことで取り除く（図７）。
【００２７】
また、図７に示されるように、隣合うブロック部材９の一方の端部に形成された口細部１３を他方の端部の開口部１４に挿入して連結し、４つのブロック部材９を首ブロック５の破損した上端開口部の周縁を囲うように設置する。この際、首ブロック５の破損した上端開口部の外側においてブロック部材９の基部１２ａを地表面に載置すると共に覆部１２ｂによって破損した上端開口部の周縁を覆うように連結部分の挿入量を調整することで、載置用ブロック８の大きさを破損した上端開口部の大きさ（地上設置装置の大きさ）に応じて調整する。そして、ブロック部材９に固定されたボルト１５をベース１１のボルト挿通孔１７に下方から挿通させるよう地上設置装置１のベース１１を載置用ブロック８に載置し、この状態で収納箱１０の内側からナット１８をボルト１５に螺合させてベース１１を載置用ブロック８に固定する。
【００２８】
したがって、ブロック部材９を連結させて載置用ブロック８を形成するので、地上設置装置１に接続されているケーブルを一時的に取り外す必要がなく、また、連結されたブロック部材９を首ブロック５の破損した上端開口部の周縁に設置すれば地上設置装置１の設置基礎が形成されるので、仮復旧作業がスムーズに行える。しかも、それぞれのブロック部材９は、基部２１ａが地上設置装置１のベース１１を載置させる覆部１２ｂの外側に配置されて設置面積が大きく形成されているので、安定した仮設状態が形成され、厳格な安全対策が不要となる。
【００２９】
また、隣り合うブロック部材９の連結が一方の端部を他方の端部に挿入することによりスライド可能に連結されているので、挿入量を調整することによって載置用ブロック８の大きさを可変させることができ、種々の大きさの地上設置装置１に対応させることが可能となる。
【００３０】
さらに、上述のブロック部材９は、首ブロック５の破損した上端開口部の１つの角部を覆うように分割されたＬ字状に形成されているので、地表面に載置する場合でも安定性がよく、一旦、地表面に設置すればブロック部材９が転倒する不都合はなく、また、位置ずれしにくくなる。
【００３１】
さらに、上述の構成においては、ブロック部材９に、ベース１１にボルト止めするためのボルト１５が予め固定されているので、地上設置装置１の仮設作業を容易に行うことができ、作業効率を高めることが可能となる。尚、上述の構成において、ブロック部材９にボルト１５を固定するようにしているが、これに代えて、ブロック部材９の覆部１２ｂの下面にボルト挿通孔１６と整合するナットを溶接しておき、地上設置装置１のベース１１を上方から載置した後に、ベース１１の上方からボルト挿通孔１７，１６を介して挿通させたボルトをナットに螺合させるようにしてもよい。
【００３２】
また、上述の構成においては、載置用ブロック８を直接地表面に載置させるようにしたが、図８に示されるように、載置用ブロック８の高さを調整するスペーサ２２をブロック部材９と地表面との間に介装させるようにしてもよい。このようなスペーサ２２は、各ブロック部材９の基部１２ａと同じ大きさに形成するとよい。また、ブロック部材９には、歩行者に対する注意喚起のために黄色のストライプなどの色彩を施すようにしてもよい。
さらに、上述した例では、ブロック部材９を筒状に形成したが、ブロック部材９の軽量化と仮設後の安定性を考慮し、中実状にしても、肉厚や形状を調整するようにしてもよい。
【図面の簡単な説明】
【００３３】
【図１】図１は、本発明に係る地上設置装置の仮支持状態を示す斜視図である。
【図２】図２は、本発明に係る地上設置装置の仮支持材状態を示す一部切欠きの断面図である。
【図３】図３は、本発明に係る仮復旧基礎を用いた仮設状態を示す概略図であり、（ａ）は地上設置装置の上方から見た図、（ｂ）は地上設置装置の正面から見た図、（ｃ）は地上設置装置の側面から見た図である。
【図４】図４は、ブロック部材に地上設置装置のベースをボルト止めした部分の拡大断面図である。
【図５】図５は、隣合うブロック部材の連結部分の構造を示す図であり、（ａ）は連結する前の状態を示す斜視図、（ｂ）は連結した状態を示す断面図である。
【図６】図６は、転倒した地上設置装置の状態を示す斜視図である。
【図７】図７は、転倒した地上設置装置からアンカーボルトを取り外し、また、首ブロックの破損した上端開口部の周縁を覆うように載置用ブロックを仮設した状態を示す斜視図である。
【図８】図８は、地上設置装置を仮支持する仮復旧基礎の他の取り付け状態を示す概略図であり、（ａ）は地上設置装置の正面から見た図、（ｂ）は地上設置装置の側面から見た図である。
【図９】図９は、地上設置装置の既存の設置構造を示す図であり、（ａ）は通常の設置状態を示す図、（ｂ）は車両等の衝突により地上設置装置が転倒した状態を示す図である。
【符号の説明】
【００３４】
１  地上設置装置
３  基礎ブロック
４  上部ブロック
５  首ブロック
８  載置用ブロック
９，９ａ，９ｂ，９ｃ，９ｄ  ブロック部材
１１  ベース
１２ａ  基部
１２ｂ  覆部
１５  ボルト
２０  アンカーボルト
【図１】
2008258238.tif 000003
【図２】
2008258238.tif 000004
【図３】
2008258238.tif 000005
【図４】
2008258238.tif 000006
【図５】
2008258238.tif 000007
【図６】
2008258238.tif 000008
【図７】
2008258238.tif 000009
【図８】
2008258238.tif 000010
【図９】
2008258238.tif 000011